【手続補正書】
【提出日】平成23年5月31日(2011.5.31)
【手続補正１】
【補正対象書類名】特許請求の範囲
【補正対象項目名】全文
【補正方法】変更
【補正の内容】
【特許請求の範囲】
【請求項１】
画像形成装置の利用を認証するための認証サーバと画像形成装置とネットワークを介して通信可能な認証システムであって、
前記認証サーバは、
入室許可された場所に対応する画像形成装置へ予め認証情報を記憶させるべく、入室許可に従って、入室許可されたユーザの第１の識別情報を含む認証情報を送信する第１の識別情報送信手段を備え、
前記画像形成装置は、
前記認証サーバから送信された、前記入室許可されたユーザの第１の識別情報を含む認証情報を受け付ける第１の識別情報受付手段と、
前記第１の識別情報受付手段で受け付けた認証情報を記憶する記憶手段と、
ユーザが画像形成装置を利用するために、ユーザを識別するための第２の識別情報を受け付ける第２の識別情報受付手段と、
前記第２の識別情報受付手段で受け付けた第２の識別情報に対応する前記認証情報が前記記憶手段に記憶されているか否かを判定する記憶判定手段と、
前記記憶判定手段で第２の識別情報に対応する認証情報が記憶されていると判定される場合に、前記第２の識別情報を受け付けた画像形成装置の利用を許可する許可手段と、
前記記憶判定手段で第２の識別情報と対応する前記認証情報が記憶されていないと判定される場合に、前記第２の識別情報を含む認証要求を前記認証サーバへ送信する認証要求送信手段と
を備えることを特徴とする認証システム。
【請求項２】
前記認証サーバは、
前記入室許可されたユーザの第１の識別情報を含む認証要求を受信する認証要求受信手段と、
前記認証要求受信手段で受信した認証要求に含まれる第１の識別情報を認証する認証手段と、
前記認証手段で認証した結果を送信する認証結果送信手段とを更に備え、
前記画像形成装置は、
認証した結果を前記認証サーバから受信する認証結果受信手段を更に備え、
前記認証要求送信手段は、ユーザが入室する際に受け付けたユーザを識別するための第１の識別情報を含む認証要求を前記認証サーバへ送信し、
前記記憶手段は、前記認証結果受信手段での認証した結果に従って、前記第１の識別情報の認証がなされた場合に、前記第１の識別情報を含む認証情報を記憶することを特徴とする請求項１に記載の認証システム。
【請求項３】
前記画像形成装置は、
当該画像形成装置が設置されている場所からの退室許可に従って、前記記憶手段に記憶されている退室したユーザに対応する認証情報を制限する制限手段を更に備えることを特徴とする請求項１又は２に記載の認証システム。
【請求項４】
ユーザの入退室を管理する管理サーバとネットワークを介して通信可能に接続され、
前記記憶手段で記憶する認証情報は、入室と退室を示す入退室情報を含み、
前記画像形成装置は、
前記管理サーバで退室許可されたユーザの第１の識別情報を受け付けた場合には、当該第１の識別情報を含む認証情報の入退室情報を、退室を示す情報に更新する入退室情報更新手段と
を更に備えることを特徴とする請求項１乃至３のいずれか１項に記載の認証システム。
【請求項５】
前記認証情報は、画像形成装置を利用するための権限情報を更に含み、
前記許可手段は、前記記憶判定手段で第２の識別情報と一致する第１の識別情報が記憶され、前記第１の識別情報に対応する入退室情報が入室を示す情報である場合に、前記記憶手段に記憶されている前記第１の識別情報に対応する権限情報を用いて、当該画像形成装置の利用を許可することを特徴とする請求項４に記載の認証システム。
【請求項６】
前記許可手段は、前記記憶判定手段で第２の識別情報と一致する第１の識別情報が記憶され、前記第１の識別情報に対応する入退室情報が退室を示す情報である場合に、退室を示す情報を有するユーザに適用する権限情報を用いて、当該画像形成装置の利用を許可することを特徴とする請求項５に記載の認証システム。
【請求項７】
前記許可手段は、前記認証要求手段での前記第２の識別情報を含む認証要求に従って、前記第２の識別情報の認証がなされた場合に、当該画像形成装置の属する場所への入室がないユーザに適用する権限情報を用いて、当該画像形成装置の利用を許可することを特徴とする請求項１乃至６のいずれか１項に記載の認証システム。
【請求項８】
前記画像形成装置は、
前記許可手段により許可されたユーザの印刷データの印刷に従って、前記第１の識別情報又は前記第２の識別情報を含む認証要求を前記認証サーバへ送信し、前記記憶手段に記憶される認証情報を当該認証要求の結果により更新する認証情報更新手段と
を更に備えることを特徴とする請求項１乃至７のいずれか１項に記載の認証システム。
【請求項９】
ユーザの入退室を制御する入退室制御装置とネットワークを介して通信可能に接続され、
前記入退室制御装置は、
入室許可された第１の識別情報を通知する先となる画像形成装置を特定する特定情報を記憶する特定情報記憶手段と、
前記特定情報記憶手段で記憶する特定情報に従って、前記画像形成装置に前記入室許可された第１の識別情報を通知する通知手段と
を更に備えることを特徴とする請求項１乃至８のいずれか１項に記載の認証システム。
【請求項１０】
入室許可された場所に対応する画像形成装置へ予め認証情報を記憶させるべく、入室許可に従って、入室許可されたユーザの第１の識別情報を含む認証情報を送信する認証サーバとネットワークを介して通信可能な画像形成装置であって、
前記認証サーバから送信された、前記入室許可されたユーザの第１の識別情報を含む認証情報を受け付ける第１の識別情報受付手段と、
前記第１の識別情報受付手段で受け付けた認証情報を記憶する記憶手段と、
ユーザが画像形成装置を利用するために、ユーザを識別するための第２の識別情報を受け付ける第２の識別情報受付手段と、
前記第２の識別情報受付手段で受け付けた第２の識別情報に対応する前記認証情報が前記記憶手段に記憶されているか否かを判定する記憶判定手段と、
前記記憶判定手段で第２の識別情報に対応する認証情報が記憶されていると判定される場合に、前記第２の識別情報を受け付けた画像形成装置の利用を許可する許可手段と、
前記記憶判定手段で第２の識別情報と対応する前記認証情報が記憶されていないと判定される場合に、前記第２の識別情報を含む認証要求を前記認証サーバへ送信する認証要求送信手段と
を備えることを特徴とする画像形成装置。
【請求項１１】
画像形成装置の利用を認証するための認証サーバと画像形成装置とネットワークを介して通信可能な認証システムにおける認証方法であって、
前記認証サーバが、
入室許可された場所に対応する画像形成装置へ予め認証情報を記憶させるべく、入室許可に従って、入室許可されたユーザの第１の識別情報を含む認証情報を送信する第１の識別情報送信ステップを実行し、
前記画像形成装置が、
前記認証サーバから送信された、前記入室許可されたユーザの第１の識別情報を含む認証情報を受け付ける第１の識別情報受付ステップと、
前記第１の識別情報受付ステップで受け付けた認証情報を記憶部に記憶する記憶ステップと、
ユーザが画像形成装置を利用するために、ユーザを識別するための第２の識別情報を受け付ける第２の識別情報受付ステップと、
前記第２の識別情報受付ステップで受け付けた第２の識別情報に対応する前記認証情報が前記記憶部に記憶されているか否かを判定する記憶判定ステップと、
前記記憶判定ステップで第２の識別情報に対応する認証情報が記憶されていると判定される場合に、前記第２の識別情報を受け付けた画像形成装置の利用を許可する許可ステップと、
前記記憶判定ステップで第２の識別情報と対応する前記認証情報が記憶されていないと判定される場合に、前記第２の識別情報を含む認証要求を前記認証サーバへ送信する認証要求送信ステップと
を実行することを特徴とする認証方法。
【請求項１２】
入室許可された場所に対応する画像形成装置へ予め認証情報を記憶させるべく、入室許可に従って、入室許可されたユーザの第１の識別情報を含む認証情報を送信する認証サーバとネットワークを介して通信可能な画像形成装置における認証方法であって、
前記認証サーバから送信された、前記入室許可されたユーザの第１の識別情報を含む認証情報を受け付ける第１の識別情報受付ステップと、
前記第１の識別情報受付ステップで受け付けた認証情報を記憶部に記憶する記憶ステップと、
ユーザが画像形成装置を利用するために、ユーザを識別するための第２の識別情報を受け付ける第２の識別情報受付ステップと、
前記第２の識別情報受付ステップで受け付けた第２の識別情報に対応する前記認証情報が前記記憶部に記憶されているか否かを判定する記憶判定ステップと、
前記記憶判定ステップで第２の識別情報に対応する認証情報が記憶されていると判定される場合に、前記第２の識別情報を受け付けた画像形成装置の利用を許可する許可ステップと、
前記記憶判定ステップで第２の識別情報と対応する前記認証情報が記憶されていないと判定される場合に、前記第２の識別情報を含む認証要求を前記認証サーバへ送信する認証要求送信ステップと
を実行することを特徴とする認証方法。
【請求項１３】
画像形成装置の利用を認証するための認証サーバと画像形成装置とネットワークを介して通信可能な認証システムで実行されるプログラムであって、
前記認証サーバを、
入室許可された場所に対応する画像形成装置へ予め認証情報を記憶させるべく、入室許可に従って、入室許可されたユーザの第１の識別情報を含む認証情報を送信する第１の識別情報送信手段として機能させ、
前記画像形成装置を、
前記認証サーバから送信された、前記入室許可されたユーザの第１の識別情報を含む認証情報を受け付ける第１の識別情報受付手段と、
前記第１の識別情報受付手段で受け付けた認証情報を記憶する記憶手段と、
ユーザが画像形成装置を利用するために、ユーザを識別するための第２の識別情報を受け付ける第２の識別情報受付手段と、
前記第２の識別情報受付手段で受け付けた第２の識別情報に対応する前記認証情報が前記記憶手段に記憶されているか否かを判定する記憶判定手段と、
前記記憶判定手段で第２の識別情報に対応する認証情報が記憶されていると判定される場合に、前記第２の識別情報を受け付けた画像形成装置の利用を許可する許可手段と、
前記記憶判定手段で第２の識別情報と対応する前記認証情報が記憶されていないと判定される場合に、前記第２の識別情報を含む認証要求を前記認証サーバへ送信する認証要求送信手段と
して機能させることを特徴とするプログラム。
【請求項１４】
入室許可された場所に対応する画像形成装置へ予め認証情報を記憶させるべく、入室許可に従って、入室許可されたユーザの第１の識別情報を含む認証情報を送信する認証サーバとネットワークを介して通信可能な画像形成装置で実行されるプログラムであって、
前記画像形成装置を、
前記認証サーバから送信された、前記入室許可されたユーザの第１の識別情報を含む認証情報を受け付ける第１の識別情報受付手段と、
前記第１の識別情報受付手段で受け付けた認証情報を記憶する記憶手段と、
ユーザが画像形成装置を利用するために、ユーザを識別するための第２の識別情報を受け付ける第２の識別情報受付手段と、
前記第２の識別情報受付手段で受け付けた第２の識別情報に対応する前記認証情報が前記記憶手段に記憶されているか否かを判定する記憶判定手段と、
前記記憶判定手段で第２の識別情報に対応する認証情報が記憶されていると判定される場合に、前記第２の識別情報を受け付けた画像形成装置の利用を許可する許可手段と、
前記記憶判定手段で第２の識別情報と対応する前記認証情報が記憶されていないと判定される場合に、前記第２の識別情報を含む認証要求を前記認証サーバへ送信する認証要求送信手段と
して機能させることを特徴とするプログラム。
【手続補正２】
【補正対象書類名】明細書
【補正対象項目名】００１７
【補正方法】変更
【補正の内容】
【００１７】
前述した目的を達成するための本発明は、画像形成装置の利用を認証するための認証サーバと画像形成装置とネットワークを介して通信可能な認証システムであって、前記認証サーバは、入室許可された場所に対応する画像形成装置へ予め認証情報を記憶させるべく、入室許可に従って、入室許可されたユーザの第１の識別情報を含む認証情報を送信する第１の識別情報送信手段を備え、前記画像形成装置は、前記認証サーバから送信された、前記入室許可されたユーザの第１の識別情報を含む認証情報を受け付ける第１の識別情報受付手段と、前記第１の識別情報受付手段で受け付けた認証情報を記憶する記憶手段と、ユーザが画像形成装置を利用するために、ユーザを識別するための第２の識別情報を受け付ける第２の識別情報受付手段と、前記第２の識別情報受付手段で受け付けた第２の識別情報に対応する前記認証情報が前記記憶手段に記憶されているか否かを判定する記憶判定手段と、前記記憶判定手段で第２の識別情報に対応する認証情報が記憶されていると判定される場合に、前記第２の識別情報を受け付けた画像形成装置の利用を許可する許可手段と、前記記憶判定手段で第２の識別情報と対応する前記認証情報が記憶されていないと判定される場合に、前記第２の識別情報を含む認証要求を前記認証サーバへ送信する認証要求送信手段とを備えることを特徴とする。
【手続補正３】
【補正対象書類名】明細書
【補正対象項目名】００１８
【補正方法】変更
【補正の内容】
【００１８】
本発明により、複合機を利用する際の認証処理を高速化することができる。